(57)【特許請求の範囲】
【請求項１】
吸込口が設けられ前輪及び後輪によって走行可能とされたタンクと、
前記タンクの上部に固定された本体と、
前記本体内に設けられて前記吸込口から外気を吸い込むための第１のモータと、
前記本体の下面に取り付けられて前記タンク内に突出し、前記吸込口から吸い込んだ外気を前記本体に進入させるときに、前記外気をそれぞれ通過させる一対の第１フィルタ及び第２フィルタと、
前記本体内で前記第１フィルタ及び第２フィルタごとにそれぞれ形成され、前記第１のモータの上流側で合流する吸気用通路と、
前記本体内で前記吸気用通路の上側に配置され、前記第１のモータの下流側に形成される排気通路と、
前記排気通路と合流前の各前記吸気用通路との間に吸気口をそれぞれ開口させて前記排気通路を各前記吸気用通路にそれぞれ連通させる一対の連通路と、
各前記吸気用通路における前記吸気口より下流側に設けられて合流前の前記吸気用通路内を仕切り、合流側へ向けた前傾姿勢で傾斜する通気口をそれぞれ開口させた傾斜壁と、
前記第１フィルタ側に設けられ、前記通気口を開閉可能な下開閉部材と、前記下開閉部材と連動して前記吸気口を開閉可能な上開閉部材とからなり、前記下開閉部材で前記通気口を開放させると共に前記上開閉部材によって前記吸気口を閉塞する第１の位置と、前記下開閉部材で前記通気口を閉塞すると共に前記上開閉部材によって前記吸気口を開放する第２の位置とに移動可能な第１の弁体と、
前記第２フィルタ側に設けられ、前記通気口を開閉可能な下開閉部材と、前記下開閉部材と連動して前記吸気口を開閉可能な上開閉部材とからなり、前記下開閉部材で前記通気口を開放させると共に前記上開閉部材によって前記吸気口を閉塞する第１の位置と、前記下開閉部材で前記通気口を閉塞すると共に前記上開閉部材によって前記吸気口を開放する第２の位置とに移動可能な第２の弁体と、
前記第１の弁体を前記第２の位置に移動させて前記排気通路と前記第１フィルタとの間を連通させ、前記本体内の前記外気を前記第１フィルタに逆流させる動作と、前記第２の弁体を前記第２の位置に移動させて前記排気通路と前記第２フィルタとの間を連通させ、前記本体内の前記外気を前記第２フィルタに逆流させる動作と、を交互に行わせるカム部材を備えた１つの第２のモータと、を有し、
前記第１のモータの回転軸と前記第２のモータの回転軸とは、それぞれ上下方向に延びる一方、前記第１、第２の弁体の各前記上開閉部材は、前記第１の位置では自重によって前記吸気口を閉塞し、各前記下開閉部材は、前記第１の位置では前記吸気用通路内に垂下して前記通気口との間を開放し、前記第２の位置では、前記カム部材が当接した前記下開閉部材が前記傾斜壁側へ移動することで前記通気口を閉塞すると共に、前記下開閉部材と連動した前記上開閉部材が前記吸気口を開放することを特徴とする集塵機。
【発明の詳細な説明】
【技術分野】
【０００１】
この発明は、吸込口を設けたタンクの上部に、電動送風機を備えた本体を設けて、電動送風機の駆動により前記吸込口から外気を吸い込んで、タンク内に設けたフィルタで外気中の粉塵を捕捉する集塵機に関する。
【背景技術】
【０００２】
例えば特許文献１には、密閉構造の吸塵容器内に、吸塵容器の気体入口と気体出口との間を隔てるフィルタ群を内蔵して、気体出口からの排気によって負圧となった吸塵容器内に、気体入口から空気と共に粉塵を吸入し、この粉塵をフィルタ群で捕捉する集塵機が開示されている。さらにこの集塵機には、一端に吸塵容器から突設されて開口する外気吸入口を、他端に外気吐出口を有する外気吸入管が複数本設けられており、外気吸入口を電磁バルブで開放することによって外気吸入口から吸入した外気を、外気吐出口からフィルタ群にエアブローしてフィルタ群に付着した粉塵を除去している。
【０００３】
そしてこの集塵機では、例えば外気吸入管を２本設けた場合には、集塵機の運転中に一方の外気吸入管の電磁バルブを開放し、他方の外気吸入管の電磁バルブを閉鎖することで、一方の外気吸入管を用いて一部のフィルタ群に付着した粉塵を除去して当該フィルタ群の清掃を行いながら、他の一部のフィルタ群で粉塵を捕捉できる。
【先行技術文献】
【特許文献】
【０００４】
【特許文献１】特許第３４５７９２９号公報
【発明の概要】
【発明が解決しようとする課題】
【０００５】
しかしながら、上記の集塵機では外気吸入管の開閉に電磁バルブを用いていることから、電磁バルブを駆動させる電磁石を電気的に制御する装置が必要となって、集塵機の構造が複雑になることが懸念される。
【０００６】
この発明は、このような状況に鑑み提案されたものであって、構造が簡単で、運転中にフィルタの清掃が可能な集塵機を提供することを目的とする。
【課題を解決するための手段】
【０００７】
請求項１の発明に係る集塵機は、 吸込口が設けられ前輪及び後輪によって走行可能とされたタンクと、
前記タンクの上部に固定された本体と、
前記本体内に設けられて前記吸込口から外気を吸い込むための第１のモータと、
前記本体の下面に取り付けられて前記タンク内に突出し、前記吸込口から吸い込んだ外気を前記本体に進入させるときに、前記外気をそれぞれ通過させる一対の第１フィルタ及び第２フィルタと、
前記本体内で前記第１フィルタ及び第２フィルタごとにそれぞれ形成され、前記第１のモータの上流側で合流する吸気用通路と、
前記本体内で前記吸気用通路の上側に配置され、前記第１のモータの下流側に形成される排気通路と、
前記排気通路と合流前の各前記吸気用通路との間に吸気口をそれぞれ開口させて前記排気通路を各前記吸気用通路にそれぞれ連通させる一対の連通路と、
各前記吸気用通路における前記吸気口より下流側に設けられて合流前の前記吸気用通路内を仕切り、合流側へ向けた前傾姿勢で傾斜する通気口をそれぞれ開口させた傾斜壁と、
前記第１フィルタ側に設けられ、前記通気口を開閉可能な下開閉部材と、前記下開閉部材と連動して前記吸気口を開閉可能な上開閉部材とからなり、前記下開閉部材で前記通気口を開放させると共に前記上開閉部材によって前記吸気口を閉塞する第１の位置と、前記下開閉部材で前記通気口を閉塞すると共に前記上開閉部材によって前記吸気口を開放する第２の位置とに移動可能な第１の弁体と、
前記第２フィルタ側に設けられ、前記通気口を開閉可能な下開閉部材と、前記下開閉部材と連動して前記吸気口を開閉可能な上開閉部材とからなり、前記下開閉部材で前記通気口を開放させると共に前記上開閉部材によって前記吸気口を閉塞する第１の位置と、前記下開閉部材で前記通気口を閉塞すると共に前記上開閉部材によって前記吸気口を開放する第２の位置とに移動可能な第２の弁体と、
前記第１の弁体を前記第２の位置に移動させて前記排気通路と前記第１フィルタとの間を連通させ、前記本体内の前記外気を前記第１フィルタに逆流させる動作と、前記第２の弁体を前記第２の位置に移動させて前記排気通路と前記第２フィルタとの間を連通させ、前記本体内の前記外気を前記第２フィルタに逆流させる動作と、を交互に行わせるカム部材を備えた１つの第２のモータと、を有し、
前記第１のモータの回転軸と前記第２のモータの回転軸とは、それぞれ上下方向に延びる一方、前記第１、第２の弁体の各前記上開閉部材は、前記第１の位置では自重によって前記吸気口を閉塞し、各前記下開閉部材は、前記第１の位置では前記吸気用通路内に垂下して前記通気口との間を開放し、前記第２の位置では、前記カム部材が当接した前記下開閉部材が前記傾斜壁側へ移動することで前記通気口を閉塞すると共に、前記下開閉部材と連動した前記上開閉部材が前記吸気口を開放することを特徴とする。
【発明の効果】
【００１２】
本発明に係る集塵機によれば、１つのモータによって、本体内の外気（排気）を第１フィルタに逆流させる動作と、前記本体内の外気（排気）を第２フィルタに逆流させる動作と、を交互に行わせることで、第１フィルタの塵落としと、第２フィルタの塵落としと、を交互に行うことが可能となる。
【図面の簡単な説明】
【００１３】
【図１】本発明の実施形態の集塵機の全体斜視図である。
【図２】同集塵機が備える本体の全体斜視図である。
【図３】同本体を構成するフィルタ固定部材と本体ケースと本体ケースカバーとの分解斜視図である。
【図４】同本体ケースの全体斜視図である。
【図５】同本体ケースカバーの全体斜視図である。
【図６】同本体ケースの平面図である。
【図７】同本体ケースの裏面図である。
【図８】同本体ケースに形成された連通路を開閉可能な第２開閉部材の斜視図である。
【図９】タンク内に設けた一対のフィルタが粉塵を捕捉する動作を説明する図である。
【図１０】右側のフィルタを清掃し左側のフィルタで粉塵を捕捉する動作を説明する図である。
【図１１】同本体の要部側断面図である。
【図１２】他の実施形態の集塵機が備える本体の部分側断面図である。
【発明を実施するための形態】
【００１４】
本発明の実施形態を図１ないし図１１を参照しつつ説明する。図１ないし図３に示すように集塵機１は、走行台２とタンク３と本体４とを備えている。走行台２は合成樹脂によって成形されて、走行台２の上面には円形状の凹溝５（図１参照。）が設けられている。走行台２の前方（図１の手前側）中央の底面には一つの前輪６が回転自在に設けられ、走行台２の後方（図１の奥側）左右には一対の後輪７、７が回転自在に設けられている。集塵機１は、前輪６及び後輪７、７によって走行可能とされている。
【００１５】
タンク３は、ステンレス製で上部を開口する有底円筒状に成形されている。タンク３は凹溝５に嵌め入れられた状態で走行台２の上面に載置されている。タンク３の前面（図１の手前側）には吸込口８が形成されている。この吸込口８には集塵ホースが接続される。さらにタンク３の外側面にはフック９、９が取り付けられている。図１に示すように本体４は、フック９、９の端部を後述する本体ケース１１のフック係合部１９、１９（図２参照。）と係合させることでタンク３の上部に固定可能とされている。
【００１６】
図３に示すように本体４は、フィルタ固定部材１０と、本体ケース１１と、本体ケースカバー１２とを有する。フィルタ固定部材１０は、本体ケース１１の下面にネジを締め付けて固定されるものである。図３及び図９に示すようにフィルタ固定部材１０は、中央から後方へ向けて下向きに突設されて下面が閉塞して上面が開口する中空部１４を備えている。さらにフィルタ固定部材１０には、中空部１４の左右の外側で前後方向に延びる長孔１５、１５が開設されている。加えて図２及び図３に示すようにフィルタ固定部材１０の左右の側面には、支軸を介して揺動可能なラッチ部材１６、１６が取り付けられている。これに加えてフィルタ固定部材１０の前方下面には、下方へ突出する電極保持板１７がネジで固定されている。
【００１７】
また図２及び図３、図９に示すように、一次フィルタとなるプレフィルタ２０、２０が、長孔１５、１５と連通した状態でフィルタ固定部材１０の下面に取り付けられている。本体４をタンク３の上部に固定することで、プレフィルタ２０、２０及び前記電極保持板１７はフィルタ固定部材１０の下面からタンク３内に突出する。この電極保持板１７の裏面には、左右方向に所定間隔をおいて上下方向で同じ位置に一対の水位検知電極（図示せず。）が保持されている。本実施形態では、一対の水位検知電極に電圧を印加しておき、水を介して両水位検知電極間が導通したときに、タンク３内に浸入した水が一定量になったことを検知する。タンク３内に水が浸入したことを検知すると、集塵機１の運転を停止させる。プレフィルタ２０は、平面視長円形状で上部が開口し下部を閉塞した織布製の筒状体で、タンク３内で吸込口８と本体４との間を仕切り可能としている。プレフィルタ２０の上部の周縁部には、リング状の係止部材２１（図２及び図３参照。）が取り付けられている。本実施形態では左右のラッチ部材１６、１６を各プレフィルタ２０の係止部材２１にそれぞれ係合させることで、各プレフィルタ２０はフィルタ固定部材１０の下面に密着状態で固定される。加えて各プレフィルタ２０には、帯電防止剤を付加する周知の帯電防止加工が施されている。
【００１８】
図３及び図９に示すように各プレフィルタ２０の内側には、三次フィルタとなる紙製のフィルタ２２が長孔１５と連通した状態でそれぞれ装着されている。このフィルタ２２は、平面視長円形状で上部が開口し下部を閉塞した筒状体で、フィルタ面をプレフィルタ２０内に突出させた状態になっている。さらに各プレフィルタ２０内でフィルタ２２のフィルタ面には、二次フィルタとなるポリウレタンスポンジ製のフィルタ２３がそれぞれ装着されている。本体４をタンク３の上部に固定することで、各フィルタ２２、２３は各プレフィルタ２０内で吸込口８と本体４との間を仕切り可能としている。なお、プレフィルタ２０及び両フィルタ２２、２３は本発明のフィルタの一例である。
【００１９】
図３及び図４に示すように本体ケース１１は、合成樹脂製で中央よりも前方（図３及び図４の手前側）から下向きに突設されて上面が開口する有底の筒状部２５を備えている。この筒状部２５の下面中央には吸気口２６（図４参照。）が形成されている。上記のフィルタ固定部材１０を本体ケース１１の下面に固定した状態では、筒状部２５は、フィルタ固定部材１０の中空部１４に嵌合可能となっている。筒状部２５には、ファンＦ（図１１参照。）を覆うファンカバー３０（図３参照。）を下向にした姿勢で電動送風機３１（図３及び図１１参照。）が嵌め入れられる。このファンＦはモータの回転軸３５（図１１参照。）の先端部に連結されており、ファンカバー３０の上方側外周面には、複数の空気排出部３２（図３及び図１１参照。）が設けられている。ファンカバー３０が上方側を残して筒状部２５に嵌め入れられることで、各空気排出部３２は筒状部２５の外側に位置するように配置可能となっている。ファンカバー３０を筒状部２５に嵌め入れたときは、ファンカバー３０の下面中央に設けた通気口Ｈ（図１１参照。）が、筒状部２５の吸気口２６と対向するように配置される。なお図３及び図１１中の符号２７は、ファンカバー３０の下端周縁と吸気口２６との間をシールするリング状のシール部材であり、符号２８は吸音材である。
【００２０】
さらに図９に示すように、フィルタ固定部材１０内には、中空部１４に嵌合した筒状部２５の左右の外側で前方から後方へ延びて筒状部２５の後方へ回り込み、中空部１４と連通するように吸気用通路３３、３４が形成されている。両吸気用通路３３、３４は各長孔１５と連通する。
【００２１】
また図４、６、９に示すように本体ケース１１の上面には、モータ収容部３７が配置されている。このモータ収容部３７は、筒状部２５の後方でＤＣモータ３６に取り付けた減速機カバー４０（図３及び図１１参照。）を取り囲むように立設されている。図６及び図７に示すようにモータ収容部３７の底面に当たる本体ケース１１の上面には、モータ収容部３７と本体ケース１１内とを連通させる連通孔３８が形成されている。ＤＣモータ３６に取り付けた減速機カバー４０のネジ孔及びモータ収容部３７のネジ孔３９、３９（図４及び図６参照。）にネジを締め付けることで、ＤＣモータ３６はモータ収容部３７内に固定される。ＤＣモータ３６の出力軸４２（図１１参照。）には、減速機カバー４０に収容された減速機４１（図３及び図１１参照。）を介し、連通孔３８を通じて、側面視略逆Ｌ字状のカム部材４３（図９及び図１１参照。）が連結されている。本実施形態ではＤＣモータ３６を左右方向へ往復回転させることで、カム部材４３も左右方向へ往復回転可能となっている。
【００２２】
図４及び図６に示すように本体ケース１１の上面には、排気通路４４が設けられている。この排気通路４４は、筒状部２５の上面開口と繋がった壁面４５（図４参照。）及びリブ４６（同図参照。）で取り囲まれた空間４７からなる。後述するように、電動送風機３１の下流側に位置する各空気排出部３２（図３参照。）から吐き出された空気は、排気通路４４を通って排気口４８、排気窓４９（図５参照。）から本体４の外部に排出可能とされている。
【００２３】
一方図４、６、９に示すように、本体ケース１１の上面でモータ収容部３７の左右の外側に、排気通路４４の下流側と連続する連通路５０、５１が形成されている。図４及び図６に示すように、連通路５０、５１の下流側に当たる本体ケース１１の上面には、連通路５０、５１と吸気用通路３３、３４（図９参照。）とを連通させる吸気口５２、５３がそれぞれ形成されている。したがって、排気通路４４と吸気用通路３３とを連通路５０及び吸気口５２を介し、排気通路４４と吸気用通路３４とを連通路５１及び吸気口５３を介してそれぞれ連通させることが可能になる。加えて本体ケース１１の上面には、フック係合部１９、１９が設けられている。さらに図３及び図９に示すように本体ケース１１の下面には、リング状のシール部材１３が取り付けられている。これにより、本体ケース１１をタンク３に密着状態で固定できる。
【００２４】
そして図６及び図７、図９に示すように、吸気用通路３３における吸気口５２よりも下流側で中空部１４との連通部には、当該連通部と中空部１４とを仕切り通気口５８を備えた傾斜壁５７が設けられている。この傾斜壁５７は、前記連通部に取り付けられる傾斜壁形成用部材５６（図３及び図７参照。）と一体に形成されている。本体ケース１１の下面で傾斜壁５７の近傍には、支軸６０（図９参照。）を介して通気口５８を開閉可能な板状の第１開閉部材５５（図３及び図９参照。）が回転可能に支持されている。図７中の符号５４は、支軸６０が回転可能に嵌合される嵌合孔である。常態では図９に示すように、第１開閉部材５５は前記通気口５８を開放する位置で垂直方向へ延びる姿勢に付勢されている。図６及び図７、図９に示すように傾斜壁５７は、上側が下側に対して常態の第１開閉部材５５側に傾斜しており、通気間隔を保った通気空間５９（図９参照。）を挟んで常態の第１開閉部材５５と対向する。なお、傾斜壁５７は本発明の傾斜部の一例である。
【００２５】
一方図８及び図９に示すように連通路５０の吸気口５２に、吸気口５２を開閉可能な板状の第２開閉部材６１が設けられている。この第２開閉部材６１は、上下方向に延びて先端が第１開閉部材５５と対向する棒状の腕部６２を備えている。さらに第２開閉部材６１は、連通路５０の底面に支持される支軸６３（図９参照。）を中心として連通路５０内に回転可能に支持されている。常態では第２開閉部材６１は、自重により吸気口５２を閉塞する位置で横向き姿勢に付勢されている。
【００２６】
上述した吸気用通路３３における中空部１４との連通部と同様に、図９に示す吸気用通路３４における吸気口５３よりも下流側で中空部１４との連通部には、通気口５８を備えた傾斜壁５７が設けられている。加えて当該傾斜壁５７の近傍にも、当該通気口５８を開閉可能な第１開閉部材５５が設けられている。また、連通路５０の吸気口５２と同様に、図６及び図９に示す連通路５１の吸気口５３にも、吸気口５３を開閉可能な第２開閉部材６１が設けられている。
【００２７】
本実施形態の特徴的な構成として、集塵機１の縦寸法が増加することを抑制するため、図９に示すようにタンク３内で、一対のプレフィルタ２０、２０をＤＣモータ３６の外側で横方向に間隔をおいて対向状に配置した。さらに各第１開閉部材５５を、集塵機１の横方向でプレフィルタ２０とＤＣモータ３６との間に位置するように配置した。
【００２８】
また、図１ないし図３、図５に示す本体ケースカバー１２は、合成樹脂製で本体ケース１１の上面開口を閉塞するもので、中央よりも前方から上向きに突設されて上面が開口する胴体カバー収容部６７を有する。本体ケースカバー１２と本体ケース１１とにネジを締め付けることで本体ケースカバー１２を本体ケース１１の上部に固定した状態では、胴体カバー収容部６７は、電動送風機３１のモータを収容した胴体カバー７２（図３参照。）等を縦向きで収容する。また図５に示すように本体ケースカバー１２の上面には、該上面と本体ケース１１の上面開口とを連通させる排気口４８が形成されている。加えて、本体ケースカバー１２上で後方に位置する壁面７５には、排気窓４９が複数形成されている。さらに本体ケースカバー１２の前面には、運転スイッチＳ等の各種のスイッチや外部機器への電源供給用のコンセントを配置した操作部７６が設けられている。なお図３中の符号７７、７８はいずれも本体ケースカバー１２に収納されるもので、符号７７はコントローラ、符号７８は吸音材である。
【００２９】
次に集塵機１の動作を説明する。集塵機１の本体４（図１参照。）に設けた運転スイッチＳ（同図参照。）をオンさせると、図３に示す電動送風機３１のモータが駆動することでファンカバー３０内のファンＦ（図１１参照。）が回転する。すると、集塵ホースを介して吸込口８（図１参照。）から粉塵を含んだ外気がタンク３内に吸い込まれて、この外気は、図９に示す両プレフィルタ２０、２０、両フィルタ２３、２３及び両フィルタ２２、２２を通過して両長孔１５から両吸気用通路３３、３４にそれぞれ進入する。このとき、両プレフィルタ２０、２０で粉塵を捕捉すると共に、両プレフィルタ２０、２０を通過した粉塵を両フィルタ２３、２３及び両フィルタ２２、２２で順次捕捉する。
【００３０】
続いて両吸気用通路３３、３４に進入した外気は、傾斜壁５７の通気口５８、通気空間５９を通過してフィルタ固定部材１０の中空部１４にそれぞれ進入した後に、本体ケース１１の吸気口２６（図１１参照。）からファンカバー３０の通気口Ｈ（同図参照。）を通過してファンカバー３０内に導かれる。本集塵機１では、以上のようにして各プレフィルタ２０及び各フィルタ２３、２２を備えて吸込口８から電動送風機１の上流側に当たるファンカバー３０の通気口Ｈに至る吸気通路を一対形成し、一対の吸気通路がファンカバー３０の通気口Ｈ付近で合流するようにした。さらにファンカバー３０内に導かれた空気は、各空気排出部３２（図３及び図１１参照。）から図４に示す排気通路４４に吐き出された後に、排気通路４４から排気口４８（図５参照。）を通って各排気窓４９（図５参照。）から本体４の外部に排出される。
【００３１】
プレフィルタ２０やフィルタ２３、２２に捕捉された粉塵はフィルタの目詰まりの原因となる。これを防止するために本実施形態では、集塵機１の運転中に以下に説明する動作を行うことでプレフィルタ２０やフィルタ２３、２２の清掃を可能にした。図９に示すような両プレフィルタ２０、２０、両フィルタ２３、２３及び両フィルタ２２、２２で粉塵を捕捉する集塵運転中に、ＤＣモータ３６の出力軸４２の回転に伴って、図１０に示すようにカム部材４３は右側へ回転して吸気用通路３４の第１開閉部材５５に当接する。すると第１開閉部材５５は、カム部材４３で吸気用通路３４の傾斜壁５７側へ押されることにより通気口５８を閉塞し且つ通気間隔をなくした状態で傾斜壁５７に当接する結果、吸気用通路３４の閉動作を行う。これにより第１開閉部材５５は、吸込口８から吸気用通路３４を介してファンカバー３０に至る一方の吸気通路を閉動作することになる。このとき第１開閉部材５５によって腕部６２が傾斜壁５７から離れる方向へ押されることで、第２開閉部材６１は、第１開閉部材５５による吸気用通路３４の閉動作に連動して回転する。その結果図１０に示すように第２開閉部材６１は、連通路５１の吸気口５３を開放する。
【００３２】
図１０に示すように吸気用通路３４の閉動作がなされ且つ吸気口５３が開放された状態ではタンク３内や本体ケース１１内が負圧になっているため、排気通路４４を通過した排気は、図４中の二点鎖線矢印で示す如く吸気口５３から吸気用通路３４内に導かれる。吸気用通路３４内の排気は、吸気用通路３４の下流側から上流側へ逆流することで長孔１５から右側のフィルタ２２内に進入した後に、当該フィルタ２２、右側のフィルタ２３及び右側のプレフィルタ２０を順次通過してタンク３内に戻される。このとき、逆流する排気によって当該フィルタ２０、２２、２３に捕捉された粉塵を吹き飛ばすことができる。したがって本集塵機１では、左側のプレフィルタ２０と左側のフィルタ２３、２２とで粉塵を捕捉しながら右側のプレフィルタ２０及び右側のフィルタ２３、２２の清掃が可能になる。加えて左右のプレフィルタ２０には帯電防止加工がそれぞれ施されているため、粉塵が静電気でプレフィルタ２０に吸着することが抑えられる。その結果、粉塵の剥離性が向上する。
【００３３】
また、右側のフィルタ２２、２３、２０を通過してタンク３内に戻された排気は、左側のプレフィルタ２０及び左側のフィルタ２３、２２を通過した後に長孔１５から吸気用通路３３に進入することで、吸込口８から吸気用通路３３を介してファンカバー３０に至る他方の吸気通路に合流する。
【００３４】
一方集塵運転中に、カム部材４３が左側へ回転して吸気用通路３３の第１開閉部材５５に当接すると、上述したカム部材４３が右側へ回転した場合と同様に当該第１開閉部材５５と第２開閉部材６１とが動作することで、排気通路４４を通過した排気は吸気口５２（図４参照。）から吸気用通路３３内に導かれる。このとき、吸気用通路３４の傾斜壁５７に当接していた第１開閉部材５５は、図９に示すように通気口５８を開放する位置に復帰する。よって、右側のプレフィルタ２０と右側のフィルタ２３、２２とで粉塵を捕捉できる。そして吸気用通路３３内の排気は、吸気用通路３３の下流側から上流側へ逆流する結果、左側のフィルタ２２、２３及び左側のプレフィルタ２０を順次通過してタンク３内に戻される。このとき、逆流する排気によって当該フィルタ２０、２２、２３に捕捉された粉塵を吹き飛ばすことができる。したがって、右側のプレフィルタ２０と右側のフィルタ２３、２２とで粉塵を捕捉しながら左側のプレフィルタ２０及び左側のフィルタ２３、２２の清掃が可能になる。本集塵機１ではカム部材４３が、左右方向に往復回転することで吸気用通路３３の通気口５８を開閉可能な第１開閉部材５５と、吸気用通路３４の通気口５８を開閉可能な第１開閉部材５５とに対して交互に当接する結果、吸気用通路３３の閉動作と吸気用通路３４の閉動作とを交互に行うことが可能になる。なお、ＤＣモータ３６及びカム部材４３は本発明の動作手段の一例である。
【００３５】
＜本実施形態の効果＞
本実施形態の集塵機１ではＤＣモータ３６とカム部材４３とを用い、吸気用通路３３の通気口５８を開閉可能な第１開閉部材５５と、吸気用通路３４の通気口５８を開閉可能な第１開閉部材５５とで、吸気用通路３３の閉動作と吸気用通路３４の閉動作とを交互に行って、左側の各フィルタ２０、２３、２２の塵落としと右側の各フィルタ２０、２３、２２の塵落としとを交互に行うことができる。よって、集塵機１の運転中も左側の各フィルタ２０、２３、２２の清掃と右側の各フィルタ２０、２３、２２の清掃とが可能になる。さらにＤＣモータ３６とカム部材４３を用いて各第１開閉部材５５と各第２開閉部材６１とを作動させるため、両開閉部材５５、６１の作動には電気的な制御が不要となり、集塵機１の構造が簡単になる。
【００３６】
また、１つのＤＣモータ３６と、このＤＣモータ３６の出力軸４２に減速機４１を介して連結された１つのカム部材４３とによって、吸気用通路３３の閉動作と吸気用通路３４の閉動作とを交互に行うことができるため、ＤＣモータ３６及びカム部材４３の設置数を最小限に抑えることができる。これに伴って集塵機１の製造コストを抑えることができる。
【００３７】
さらに一対のフィルタ２０、２０を、ＤＣモータ３６及び各第１開閉部材５５と干渉させることなく集塵機１の縦寸法が増加することを抑制した状態で配置できる。
【００３８】
加えてプレフィルタ２０には帯電防止加工が施されているため、プレフィルタ２０に静電気が帯電することを抑制できる。これにより、粉塵が静電気でプレフィルタ２０に吸着することが抑えられるため、プレフィルタ２０の塵離れが良好になる。
【００３９】
さらに加えて、常態の各第１開閉部材５５が、吸気用通路３３における吸気口５２よりも下流側で中空部１４との連通部や吸気用通路３４における吸気口５３よりも下流側で中空部１４との連通部との間に、通気口５８を設けた上で通気間隔を保つことで、常態では各吸気用通路３３、３４を開放できる。一方各第１開閉部材５５が吸気用通路３３の閉動作や吸気用通路３４の閉動作を行ったときは、通気口５８を閉塞し且つ通気間隔がなくなることで、各吸気用通路３３、３４を閉塞できる。
【００４０】
本発明は、上述した実施形態に限定されるものではなく、発明の趣旨を逸脱しない範囲内において構成の一部を適宜変更して実施できる。例えば、吸気用通路３３の第１開閉部材５５を作動させるＤＣモータ及びカム部材と、吸気用通路３４の第１開閉部材５５を作動させるＤＣモータ及びカム部材とを別個に配置して、一方のＤＣモータ及びカム部材で吸気用通路３３の閉動作を行うときに、他方のＤＣモータ及びカム部材で吸気用通路３４の第１開閉部材５５が、通気口５８を開放する位置に付勢されるようにしてもよい。また、プレフィルタ２０に加えて紙製のフィルタ２２に対しても帯電防止加工を施してもよい。さらに上述した実施形態とは異なり、第２開閉部材と第１開閉部材とを連設させて、第２開閉部材が、第１開閉部材の閉動作に連動して連通路の吸気口を開放するようにしてもよい。加えて上述した実施形態とは異なり、図１２に示す如くカム部材４３を、高トルクの特性を有するＤＣモータ３６の出力軸４２に直結してもよい。これにより、例えばＤＣモータ３６の出力軸４２を回転させることで、カム部材４３を左側へ回転させて、第１開閉部材５５を吸気用通路３３の傾斜壁５７に当接させた後にＤＣモータ３６への通電を停止すると、吸気用通路３３内の排気の圧力によって、第１開閉部材５５がカム部材４３を傾斜壁５７から離れる方向へ押し戻すことができる。したがって、上述した実施形態と異なり、吸気用通路３３の通気口５８を開放するために、左側へ回転させたカム部材４３を、ＤＣモータ３６によってあらためて右側へ回転させる制御が不要になる。
【符号の説明】
【００４１】
１・・集塵機、３・・タンク、４・・本体、８・・吸込口、２０、２２、２３・・フィルタ、３１・・電動送風機、３３、３４・・吸気用通路、３６・・ＤＣモータ、４２・・ＤＣモータの出力軸、４３・・カム部材、４４・・排気通路、５０、５１・・連通路、５５・・第１開閉部材、５７・・傾斜壁、５８・・傾斜壁の通気口、５９・・通気空間、６１・・第２開閉部材、６２・・腕部。
【図１】
0005954981.tif 000002
【図２】
0005954981.tif 000003
【図３】
0005954981.tif 000004
【図４】
0005954981.tif 000005
【図５】
0005954981.tif 000006
【図６】
0005954981.tif 000007
【図７】
0005954981.tif 000008
【図８】
0005954981.tif 000009
【図９】
0005954981.tif 000010
【図１０】
0005954981.tif 000011
【図１１】
0005954981.tif 000012
【図１２】
0005954981.tif 000013